(57)【特許請求の範囲】
【請求項１】
目地部を介して建てられた左右の建物の床部分の目地部寄りの部位に該目地部に開口するように形成された一対の凹部と、この一対の凹部にそれぞれ固定された反目地部側が傾斜のガイド面となる一対のガイド部材と、前記目地部および前記一対の凹部を覆う目地プレートと、この目地プレートの両端部に前記左右の建物の床面に位置する先端部が上下方向に回動するように取付けられた前記一対のガイド部材の底面の左右方向の寸法とほぼ同じ寸法の一対のカバープレートと、前記一対のガイド部材あるいは前記左右の建物の床部分の躯体に取付けられた中央枢支部に前記目地プレートの中央部に取付けられた支持杆がそれぞれ上下移動可能に枢支された少なくとも２個以上の中央維持リンク機構とからなることを特徴とする床用目地装置。
【請求項２】
目地部を介して建てられた左右の建物の床部分の目地部寄りの部位に該目地部に開口するように形成された一対の凹部と、この一対の凹部および前記目地部を覆う目地プレートと、この目地プレートの両端部あるいは前記一対の凹部の反目地部側に形成された目地部が狭くなるように揺れ動いた場合に目地プレートを上方へ押し上げるガイド面と、前記目地プレートの両端部に前記左右の建物の床面に位置する先端部が上下方向に回動するように取付けられた前記一対の凹部の底面の左右方向の寸法とほぼ同じ寸法の一対のカバープレートと、前記左右の建物の床部分の躯体に取付けられた中央枢支部に前記目地プレートの中央部に取付けられた支持杆がそれぞれ上下移動可能に枢支された少なくとも２個以上の中央維持リンク機構とからなることを特徴とする床用目地装置。
【請求項３】
目地部を介して建てられた左右の建物の一方の建物の目地部側の床面に形成された支持凹部に取付けられた目地プレート支持金具と、前記左右の建物の他方の建物の目地部側の床面に形成された凹部と、一端が前記目地プレート支持金具に回動可能に取付けられ、他端が前記凹部を覆うように該凹部に支持される目地プレートと、この目地プレートの遊端部あるいは前記凹部の反目地部側に形成された目地部が狭くなるように揺れ動いた場合に、目地プレートの遊端部を上方へ押し上げるガイド面と、前記目地プレートの遊端部に前記他方の建物の床面に位置する先端部が上下方向に回動するように取付けられた前記凹部の底面の左右方向の寸法とほぼ同じ寸法のカバープレートとからなることを特徴とする床用目地装置。
【発明の詳細な説明】
【０００１】
【発明の属する技術分野】
本発明は目地部を介して建てられた左右の建物の床部分の目地部を、目地部の寸法が狭くなると目地プレートを上方へ押し上げて、その揺れ動きを吸収する床用目地装置に関する。
【０００２】
【従来の技術】
従来、この種の床用目地装置は左右の建物の目地部側の床面にそれぞれ凹部を形成し、該凹部内に反目地部側が傾斜面となる一対の下地レールを固定するとともに、該一対の下地レールに両端部が支持され、上面がほぼ前記左右の建物の床面の上面とほぼ同一面となる両端部に傾斜面を有する目地プレートを用いて構成されている。
【０００３】
【発明が解決しようとする課題】
従来の床用目地装置は目地部の寸法が狭くなるように左右の建物が地震等によって揺れ動いた場合、目地プレートの両端部が左右の建物の床面上に突出し、歩行者に怪我をさせてしまう危険があるという欠点があった。
【０００４】
本発明は以上のような従来の欠点に鑑み、目地プレートの端部が床面上に突出しても、歩行者が目地プレートの端部に衝突することなく、安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の床部分の目地部寄りの部位に該目地部に開口するように形成された一対の凹部と、この一対の凹部にそれぞれ固定された反目地部側が傾斜のガイド面となる一対のガイド部材と、前記目地部および前記一対の凹部を覆う目地プレートと、この目地プレートの両端部に前記左右の建物の床面に位置する先端部が上下方向に回動するように取付けられた前記一対のガイド部材の底面の左右方向の寸法とほぼ同じ寸法の一対のカバープレートと、前記一対のガイド部材あるいは前記左右の建物の床部分の躯体に取付けられた中央枢支部に前記目地プレートの中央部に取付けられた支持杆がそれぞれ上下移動可能に枢支された少なくとも２個以上の中央維持リンク機構とで床用目地装置を構成している。
【０００７】
【発明の実施の形態】
以下、図面に示す実施の形態により、本発明を詳細に説明する。
【０００８】
図１ないし図７に示す本発明の第１の実施の形態において、１、１は目地部２を介して建てられた左右の建物３、３の床部分の目地部寄りの部位の床面３ａ、３ａに、該目地部２に開口するように形成された一対の凹部で、この一対の凹部１、１の反目地部２側の壁面はガイド面となるように傾斜面１ａ、１ａに形成されている。
【０００９】
４、４は前記一対の凹部１、１を覆うように、複数本の固定皿ビス５等によって前記床面３ａ、３ａに固定された一対のガイド部材で、この一対のガイド部材４、４は図３に示すように、アルミ、アルミ合金、ステンレス合金等の金属材で一端部を直角に折り曲げ、ストッパー片６が形成された板状の支持部７と、この支持部７の他端部を前記凹部１、１の傾斜面１ａ、１ａに沿うように折り曲げ形成されたガイド部８とで構成されている。
【００１０】
９は前記一対のガイド部材４、４を覆うように、該一対のガイド部材４、４に支持される目地プレートで、この目地プレート９は図４に示すように、両端部が傾斜面１０ａ、１０ａに形成された皿状の金属材製の目地プレート本体１０と、この目地プレート本体１０の内部１１内にモルタルやコンクリート１２を介して取付けられた前記左右の建物３、３の床面３ａ、３ａに設置されたタイルや化粧板１３、１３と同様なタイルや化粧板１３と、前記目地プレート本体１０の両側寄りのほぼ中央底面に固定的あるいは回転可能に取付けられた支持杆１４、１４と、前記目地プレート本体１０の両端部にヒンジ部材１５、１５を介してそれぞれ前記左右の建物３、３の床面３ａ、３ａ上に位置する先端部が上下方向に回動する一対のカバープレート１６、１６とで構成されている。
【００１１】
１７、１７は前記左右の建物３、３の床部分の躯体３ｂ、３ｂあるいは前記一対のガイド部材４、４のストッパー片６、６に両端部が取付けられた中央維持装置で、この中央維持装置１７、１７は図５に示すように、中央部に前記支持杆１４を上下方向にスライド移動可能に枢支することができる中央枢支部１８を有する四角枠形状が２個形成されるパンタグラフ形状の伸縮リンク１９と、この伸縮リンク１９の両端部の枢支ピン２０、２０にそれぞれ取付けられた上下方向に回動可能なヒンジ部材２１、２１とで構成されている。
【００１２】
上記構成の床用目地装置２２は、通常時には図１および図２に示すように、目地プレート９によって目地部２および一対のガイド部材４、４を覆うとともに、一対のカバープレート１６、１６が左右の建物３、３の床面３ａ、３ａ上に位置している。
【００１３】
この状態から地震等によって左右の建物の３、３が図６に示すように目地部２の寸法が狭くなるように揺れ動いた場合、目地プレート９は中央維持装置１７、１７によって常時中央部に位置した状態で両端部の傾斜面１０ａ、１０ａが一対のガイド部材４、４のガイド部８、８に沿って上方へスライド移動し、両端部が左右の建物３、３の床面３ａ、３ａ上に乗り上がる。
この時、一対のカバープレート１６、１６の先端部は、床面３ａ、３ａに接触した状態でスライド移動し、床面３ａ、３ａとの間に開口部が生じるのを阻止する。
【００１４】
また、左右の建物３、３が図７に示すように、目地部２の寸法が広くなるように地震等によって揺れ動いた場合、目地プレート９は中央維持装置１７、１７によって常時中央部に位置した状態で一対のガイド部材４、４の支持部７、７をスライド移動し、目地プレート９の両端部とガイド部８、８との間に凹部２３、２３が生じるが、該凹部２３、２３は該目地プレート９の両端部に取付けられた一対のカバープレート１６、１６によって覆われた状態となる。
【００１５】
【発明の異なる実施の形態】
次に、図８ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図８ないし図１０に示す本発明の第２の実施の形態において、前記本発明の第１の実施の形態と主に異なる点は、左右の建物３、３の床面３ａ、３ａに四角形状の一対の凹部１Ａ、１Ａを形成するとともに、該一対の凹部１Ａ、１Ａを傾斜面のガイド部のない一対のガイド部材４Ａ、４Ａで覆った点で、このように構成した床用目地装置２２Ａにしても、前記本発明の第１の実施の形態と同様な作用効果が得られるとともに、目地プレート９の両端部の傾斜面１０ａ、１０ａが一対のガイド部材４Ａ、４Ａの上端角部と線接触状態でスムーズにスライド移動させることができる。
【００１７】
図１１ないし図１３に示す本発明の第３の実施の形態において、前記本発明の第１の実施の形態と主に異なる点は、両端部に傾斜面のない目地プレート９Ａを用いた点で、このように構成した床用目地装置２２Ｂにしても、前記本発明の第１の実施の形態と同様な作用効果が得られるとともに、目地プレート９Ａの両端部の下部角部が一対のガイド部材４、４のガイド部８、８を線接触状態でスムーズにスライド移動させることができる。
【００１８】
図１４ないし図１６に示す本発明の第４の実施の形態において、前記本発明の第１の実施の形態と主に異なる点は、左右の建物３、３の床面３ａ、３ａに四角形状の一対の凹部１Ａ、１Ａを形成するとともに、該一対の凹部１Ａ、１Ａの反目地部側の壁面に固定されたアングルあるいは軽Ｚ形鋼形状の一対のガイド部材４Ｂ、４Ｂとを用いた点で、このように構成した床用目地装置２２Ｃにしても、前記本発明の第１の実施の形態と同様な作用効果が得られるとともに、安価に設置することができる。
【００１９】
図１７ないし図１９に示す本発明の第５の実施の形態において、前記本発明の第１の実施の形態と主に異なる点は、目地プレート９の一端部を一方の建物３の目地部側の床面３ａに形成された支持凹部２４に上下移動可能に取付けられた目地プレート支持金具２５に支持させた点で、このように構成した床用目地装置２２Ｄにしても、前記本発明の第１の実施の形態と同様な作用効果が得られる。
なお、２６は目地プレート９の中央部より目地プレート支持金具２５寄りの部位の底面に取付けられたローラーで、このローラー２６は目地部２の寸法が狭くなった場合に、目地プレート９の自重によってほぼ水平状態に位置させるものである。
【００２０】
図２０ないし図２２に示す本発明の第６の実施の形態において、前記本発明の第５の実施の形態と主に異なる点は、他方の建物３の床面３ａに四角形状の凹部１Ａを形成するとともに、該凹部１Ａを傾斜面のガイド部のないガイド部材４Ａで覆った点で、このように構成した床用目地装置２２Ｅにしても、前記本発明の第５の実施の形態と同様な作用効果が得られる。
【００２１】
【発明の効果】
以上の説明から明らかなように、本発明にあっては次に列挙する効果が得られる。
【００２２】
（１）目地部を介して建てられた左右の建物の床部分の目地部寄りの部位に該目地部に開口するように形成された一対の凹部と、この一対の凹部にそれぞれ固定された反目地部側が傾斜のガイド面となる一対のガイド部材と、前記目地部および前記一対の凹部を覆う目地プレートと、この目地プレートの両端部に前記左右の建物の床面に位置する先端部が上下方向に回動するように取付けられた前記一対のガイド部材の底面の左右方向の寸法とほぼ同じ寸法の一対のカバープレートと、前記一対のガイド部材あるいは前記左右の建物の床部分の躯体に取付けられた中央枢支部に前記目地プレートの中央部に取付けられた支持杆がそれぞれ上下移動可能に枢支された少なくとも２個以上の中央維持リンク機構とで構成されているので、地震等によって目地部の寸法が狭くなった場合、目地プレートの両端部が左右の建物の床部分へ乗り上げるが、一対のカバープレートによって両端部に段差が生じることなく、傾斜面となるようにできる。
したがって、危険な状態になるのを阻止して、安全に使用することができる。
【００２３】
（２）前記（１）によって、目地プレートの両端部に先端部が上下方向に回動するカバープレートを取付けるだけでよいので、容易に実施することができる。
【００２４】
（３）前記（１）によって、目地部の寸法が広くなって、目地プレートの両端部と床面との間に凹部が生じても、ほぼ水平面状態に位置するカバープレートで覆うことができ、安全に使用することができる。
【００２５】
（４）請求項２、３も前記（１）〜（３）と同様な効果が得られる。
【図面の簡単な説明】
【図１】本発明の第１の実施の形態の平面図。
【図２】図１の２−２線に沿う拡大断面図。
【図３】本発明の第１の実施の形態のガイド部材の説明図。
【図４】本発明の第１の実施の形態の目地プレートの説明図。
【図５】本発明の第１の実施の形態の中央維持装置の説明図。
【図６】本発明の第１の実施の形態の目地部が狭くなった場合の動作説明図。
【図７】本発明の第１の実施の形態の目地部が広くなった場合の動作説明図。
【図８】本発明の第２の実施の形態の平面図。
【図９】図８の９−９線に沿う拡大断面図。
【図１０】本発明の第２の実施の形態のガイド部材の説明図。
【図１１】本発明の第３の実施の形態の平面図。
【図１２】図１１の１２−１２線に沿う拡大断面図。
【図１３】本発明の第３の実施の形態の目地プレートの説明図。
【図１４】本発明の第４の実施の形態の平面図。
【図１５】図１４の１５−１５線に沿う拡大断面図。
【図１６】本発明の第４の実施の形態のガイド部材の説明図。
【図１７】本発明の第５の実施の形態の平面図。
【図１８】図１７の１８−１８線に沿う拡大断面図。
【図１９】本発明の第５の実施の形態の目地部が狭くなった状態の動作説明図。
【図２０】本発明の第６の実施の形態の平面図。
【図２１】図２０の２１−２１線に沿う拡大断面図。
【図２２】本発明の第６の実施の形態のガイド部材の説明図。
【符号の説明】
１、１Ａ：凹部、        ２：目地部、
３：建物、              ４、４Ａ、４Ｂ：ガイド部材、
５：皿ビス、            ６：ストッパー片、
７：支持部、            ８：ガイド部、
９、９Ａ：目地プレート、１０：目地プレート本体、
１１：内部、            １２：モルタルやコンクリート、
１３：タイルや化粧板、  １４：支持杆、
１５：ヒンジ部材、      １６：カバープレート、
１７：中央維持装置、    １８：中央枢支部、
１９：伸縮リンク、      ２０：枢支ピン、
２１：ヒンジ部材、
２２、２２Ａ〜２２Ｅ：床用目地装置、
２３：凹部、            ２４：支持凹部、
２５：目地プレート支持金具、
２６：ローラー。
【図１】
0003578442.tif 000002
【図２】
0003578442.tif 000003
【図３】
0003578442.tif 000004
【図４】
0003578442.tif 000005
【図５】
0003578442.tif 000006
【図６】
0003578442.tif 000007
【図７】
0003578442.tif 000008
【図８】
0003578442.tif 000009
【図９】
0003578442.tif 000010
【図１０】
0003578442.tif 000011
【図１１】
0003578442.tif 000012
【図１２】
0003578442.tif 000013
【図１３】
0003578442.tif 000014
【図１４】
0003578442.tif 000015
【図１５】
0003578442.tif 000016
【図１６】
0003578442.tif 000017
【図１７】
0003578442.tif 000018
【図１８】
0003578442.tif 000019
【図１９】
0003578442.tif 000020
【図２０】
0003578442.tif 000021
【図２１】
0003578442.tif 000022
【図２２】
0003578442.tif 000023